(57)【要約】 【課題】  情報を読み出す際に発生する音を特定の条件のときに抑止し、音の発生を抑止した状態でも必要な情報を読み出すことができる記憶装置を提供する。【解決手段】  データ制御部１３は、許可条件が成立しなくなったとき、第１の記憶部１１から、出力用データを読み出して、第２の記憶部１２に書き込む。第２の記憶部１２に書き込まれたデータは、許可条件が成立したとき、消去される。  データ制御部１３は、出力部１６から出力用データを要求されたとき、許可条件が成立しているか否かを判断部１５に問い合わせる。判断部１５の判断結果が、許可条件が成立していることを示していると、要求された出力用データを第１の記憶部１１から読み出し、判断部１５の判断結果が、許可条件が成立していないことを示していると、要求された出力用データを第２の記憶部１２から読み出して、読み出した出力用データを出力部１６に送信する。【選択図】      図１
2006331610.tif 000002
【特許請求の範囲】
【請求項１】
情報を記憶する第１の記憶手段であって、動作音の発生を伴って前記情報を読み出す第１の記憶手段と、第１の記憶手段から情報を読み出す制御手段と、出力するための情報を制御手段に要求する出力手段とを含み、制御手段は、出力手段から要求された情報を第１の記憶手段から読み出して、読み出した情報を出力手段に送信する記憶装置において、
情報を記憶するための第２の記憶手段であって、動作音の発生を伴わずに情報を書き込みおよび読み出す第２の記憶手段をさらに含み、
制御手段は、予め定める条件が成立しなくなったとき、予め定める情報を第１の記憶手段から読み出して、読み出した情報を第２の記憶手段に書き込み、予め定める条件が成立したとき、第２の記憶手段に記憶された予め定める情報を消去し、さらに、予め定める条件が成立しているときに出力手段から要求された情報を、第１の記憶手段から読み出し、予め定める条件が成立していないときに出力手段から要求された情報を、第２の記憶手段から読み出して、読み出した情報を出力手段に送信することを特徴とする記憶装置。
【請求項２】
前記制御手段は、予め定める条件が成立しなくなったとき、第１の記憶手段の動作を停止し、さらに予め定める条件が成立したとき、第１の記憶手段の動作を開始することを特徴とする請求項１に記載の記憶装置。
【請求項３】
時間帯を表す時間帯情報を入力する入力手段と、
時刻を表す時刻情報を生成する時刻情報生成手段とをさらに含み、
前記予め定める条件は、時刻情報生成手段が生成した時刻情報が示す時刻が、入力手段によって入力された時間帯情報が示す時間帯に入っていることを条件とすることを特徴とする請求項１または２に記載の記憶装置。
【請求項４】
第１の記憶手段から情報を読み出してもよいことを表す許可信号をオンオフする切り換え手段をさらに含み、
前記予め定める条件は、切り換え手段が許可信号をオンに切り換えている状態であることを条件とすることを特徴とする請求項１または２に記載の記憶装置。
【請求項５】
照度を検出する照度検出手段をさらに含み、
前記予め定める条件は、照度検出手段が検出した照度が予め定めるしきい値より大きいことを条件とすることを特徴とする請求項１または２に記載の記憶装置。
【請求項６】
第１の記憶手段は、情報が記録されるディスクを回転させる駆動源を含み、
前記制御手段は、第１の記憶手段に含まれる駆動源の回転を停止することによって、第１の記憶手段の動作を停止することを特徴とする請求項２〜５のいずれか１つに記載の記憶装置。
【請求項７】
第１の記憶手段は、第１の記憶手段に電力を供給する電源を含み、
前記制御手段は、第１の記憶手段に含まれる電源を切断することによって、第１の記憶手段の動作を停止することを特徴とする請求項２〜５のいずれか１つに記載の記憶装置。
【請求項８】
第２の記憶手段は、少なくとも予め定める条件が成立していない期間に前記出力手段から要求される可能性のあるすべての情報の情報量以上の記憶容量を有することを特徴とする請求項１〜７のいずれか１つに記載の記憶装置。
【請求項９】
第２の記憶手段は、半導体メモリを含むことを特徴とする請求項１〜８のいずれか１つに記載の記憶装置。
【請求項１０】
情報を記憶するための第３の記憶手段と、
前記制御手段に第３の記憶手段を接続させて情報を送受信する通信手段をさらに含み、
第２の記憶手段に代えて、通信手段を介して接続された第３の記憶手段を用いることを特徴とする請求項１〜９のいずれか１つに記載の記憶装置。
【請求項１１】
前記予め定める情報は、数字、記号、および文字のフォントを表すフォント情報、電話の発信者名を表す発信者名情報を含む電話帳情報、発信元に送信するための音声データを含む音情報、および表示画面に表示するための画像データを含む画像情報のうち少なくともいずれかの情報を含むことを特徴とする請求項１〜１０のいずれか１つに記載の記憶装置。
【請求項１２】
第１の記憶手段に記憶された情報の中から情報を選択するための選択情報を入力する入力手段をさらに含み、
前記予め定める情報は、入力手段によって入力された選択情報が示す情報であることを特徴とする請求項１〜１１のいずれか１つに記載の記憶装置。
【請求項１３】
前記制御手段は、前記出力手段から要求された情報が第２の記憶手段に記憶されていないとき、要求された情報が第２の記憶手段に記憶されていないことを表す情報を前記出力手段に送信することを特徴とする請求項１２に記載の記憶装置。
【請求項１４】
情報を記憶する第１の記憶部であって、動作音の発生を伴って前記情報を読み出す第１の記憶部に記憶された情報を、情報を出力する出力部から要求されると、要求された情報を第１の記憶部から読み出して、読み出した情報を出力部に送信する記憶方法において、
予め定める条件が成立しなくなったとき、第１の記憶部から予め定める情報を読み出して、読み出した情報を、情報を記憶するための第２の記憶部であって、動作音の発生を伴わずに情報を書き込みおよび読み出す第２の記憶部に記憶する記憶工程と、
予め定める条件が成立したとき、第２の記憶部に記憶された予め定める情報を消去する消去工程と、
予め定める条件が成立しているときに出力部から要求された情報を、第１の記憶部から読み出し、予め定める条件が成立していないときに出力部から要求された情報を、第２の記憶部から読み出して、読み出した情報を出力部に送信する出力工程とを含むことを特徴とする記憶方法。
【請求項１５】
コンピュータに請求項１４に記載の記憶方法の各工程を実行させるためのプログラム。
【請求項１６】
請求項１５に記載のプログラムを記録したコンピュータ読取り可能な記録媒体。
【発明の詳細な説明】
【技術分野】
【０００１】
本発明は、機械的な動作音を伴う記憶装置、記憶方法、プログラムおよび記録媒体に関する。
【背景技術】
【０００２】
機械的な動作音の発生を伴う記憶装置、たとえば情報を記録するためのハードディスクの記録再生装置（以下、ハードディスク装置という）は、待機中はハードディスクを回転させるモータ音、さらに情報の書き込みあるいは読み出し中は情報を記録あるいは再生するためのヘッドを移動させる動作音を発生する。これらの動作音は、就寝中などに発生すると、耳障りな音となり、人に不快感を与えることがある。
【０００３】
第１の従来技術として、ハードディスク装置が非動作時にハードディスク装置の電源をオフにすることによって、消費電力を少なくしたコンピュータシステムがある。このコンピュータシステムは、非動作時、たとえばユーザから電源オフの指示があったとき、あるいはタイマを用いて一定時間ハードディスク装置が動作しないことを検出したとき、ハードディスク装置の電源をオフにし、ハードディスク装置への入出力要求があったとき、ハードディスク装置の電源をオンにして、入出力を行うものである（たとえば特許文献１参照）。
【０００４】
第２の従来技術として、タイマを用いて、付属しているＩ／Ｏ（Input/Output）装置の電源をオフにすることによって、装置の寿命を延長し、電力消費を減らし、さらに騒音の発生を減らしたファクシミリ装置がある。このファクシミリ装置は、タイマによってハードディスク等の記憶装置の電源がオフになっていても、ファクシミリ信号を受信すると、記憶装置の電源を投入して、受信データを記憶するものである（たとえば特許文献２参照）。
【０００５】
第３の従来技術として、複数の動作モードを時間帯によって自動的に切り換えることを可能にした電子機器がある。この電子機器は、ユーザが設定した動作モードに応じて、ハードディスク装置にアクセスが行われないことを監視する時間を変えて、ハードディスク装置をオフにすることによって、時間帯によって、省電力を図り、騒音を抑止するものである（たとえば特許文献３参照）。
【０００６】
第４の従来技術として、周囲環境に応じて、内蔵のハードディスクドライブから発生するシーク動作時の騒音低減を図ったパーソナルコンピュータがある。このパーソナルコンピュータは、小型マイクロフォンを内蔵し、周囲の騒音レベルが低い状況であることを検出したときに、高速シークモードから低速シークモードに切り換えることによって、シーク動作に伴う騒音の低減を図るものである（たとえば特許文献４参照）。
【０００７】
第５の従来技術として、ハードディスクメモリを備えても、通話品質を劣化させることがない携帯電話機がある。この携帯電話機は、受信された音声信号の信号レベルを検出する信号検出器を設け、通話中に信号検出器が検出した信号レベルがしきい値より小さくなったとき、ハードディスクメモリを待機状態、たとえばモータなどを停止させている状態とし、データを半導体メモリなどの補助記憶手段に記憶することによって、騒音の発生を抑止して、通話品質の劣化を防ぐものである（たとえば特許文献５参照）。
【０００８】
【特許文献１】特開昭６４−５９４１３号公報
【特許文献２】特開平３−１０１３６３号公報
【特許文献３】特開２００４−１８５０５１号公報
【特許文献４】特開平１１−１２６４２２号公報
【特許文献５】特開２００３−６９６７１号公報
【発明の開示】
【発明が解決しようとする課題】
【０００９】
第１の従来技術〜第３の従来技術は、ハードディスク装置の電源をオフにすることによって、電力消費を減らし、さらに騒音の発生を減らすものであるが、いずれの従来技術も、情報を書き込みあるいは読み出すときは、ハードディスク装置の電源をオンにして情報を読み出すので、情報を読み出すときに機械的な動作音が発生するという問題がある。
【００１０】
第４の従来技術は、周囲環境に応じて、高速シークモードから低速シークモードに切り換えることによって、シーク動作に伴う騒音の発生を低減するものであるが、シーク動作に伴う騒音、つまり情報を読み出す際に発生する音を抑止することはできないという問題がある。
【００１１】
第５の従来技術は、通話中でかつ受信された音声信号の信号レベルがしきい値より小さいときに、ハードディスクメモリを待機状態にして、データを半導体メモリに書き込むものであり、ハードディスクメモリの待機状態の間に半導体メモリに書き込まれた情報しか読み出すことができないという問題がある。
【００１２】
本発明の目的は、情報を読み出す際に発生する音を特定の条件のときに抑止し、音の発生を抑止した状態でも必要な情報を読み出すことができる記憶装置、記憶方法、プログラムおよび記録媒体を提供することである。
【課題を解決するための手段】
【００１３】
本発明は、情報を記憶する第１の記憶手段であって、動作音の発生を伴って前記情報を読み出す第１の記憶手段と、第１の記憶手段から情報を読み出す制御手段と、出力するための情報を制御手段に要求する出力手段とを含み、制御手段は、出力手段から要求された情報を第１の記憶手段から読み出して、読み出した情報を出力手段に送信する記憶装置において、
情報を記憶するための第２の記憶手段であって、動作音の発生を伴わずに情報を書き込みおよび読み出す第２の記憶手段をさらに含み、
制御手段は、予め定める条件が成立しなくなったとき、予め定める情報を第１の記憶手段から読み出して、読み出した情報を第２の記憶手段に書き込み、予め定める条件が成立したとき、第２の記憶手段に記憶された予め定める情報を消去し、さらに、予め定める条件が成立しているときに出力手段から要求された情報を、第１の記憶手段から読み出し、予め定める条件が成立していないときに出力手段から要求された情報を、第２の記憶手段から読み出して、読み出した情報を出力手段に送信することを特徴とする記憶装置である。
【００１４】
本発明に従えば、情報を記憶する第１の記憶手段であって、動作音の発生を伴って前記情報を読み出す第１の記憶手段と、第１の記憶手段から情報を読み出す制御手段と、出力するための情報を制御手段に要求する出力手段とを含み、制御手段は、出力手段から要求された情報を第１の記憶手段から読み出して、読み出した情報を出力手段に送信する記憶装置に、情報を記憶するための第２の記憶手段であって、動作音の発生を伴わずに情報を書き込みおよび読み出す第２の記憶手段が設けられ、制御手段によって、予め定める条件が成立しなくなったとき、予め定める情報が第１の記憶手段から読み出され、読み出された情報が第２の記憶手段に書き込まれ、予め定める条件が成立したとき、第２の記憶手段に記憶された予め定める情報が消去され、さらに、予め定める条件が成立しているときに出力手段から要求された情報が、第１の記憶手段から読み出され、予め定める条件が成立していないときに出力手段から要求された情報が、第２の記憶手段から読み出されて、読み出された情報が出力手段に送信される。
【００１５】
このように、予め定める条件が成立しなくなったときに、予め定める情報を、第１の記憶手段から読み出して、第２の記憶手段に書き込み、出力手段から要求された情報を、予め定める条件が成立していないときは、動作音の発生を伴わない第２の記憶手段から読み出すので、情報を読み出す際に発生する音を特定の条件のときに抑止し、音の発生を抑止した状態でも必要な情報を読み出すことができる。
【００１６】
また本発明は、前記制御手段は、予め定める条件が成立しなくなったとき、第１の記憶手段の動作を停止し、さらに予め定める条件が成立したとき、第１の記憶手段の動作を開始することを特徴とする。
【００１７】
本発明に従えば、予め定める条件が成立しなくなったときに、動作音の発生を伴う第１の記憶手段の動作を停止し、予め定める条件が成立したときに、動作音の発生を伴う第１の記憶手段の動作を開始するので、予め定める条件が成立していない期間、第１の記憶手段が発生する音を抑止することができる。
【００１８】
また本発明は、時間帯を表す時間帯情報を入力する入力手段と、
時刻を表す時刻情報を生成する時刻情報生成手段とをさらに含み、
前記予め定める条件は、時刻情報生成手段が生成した時刻情報が示す時刻が、入力手段によって入力された時間帯情報が示す時間帯に入っていることを条件とすることを特徴とする。
【００１９】
本発明に従えば、入力手段から入力された時間帯情報に基づいて、動作音の発生を伴わない第２の記憶手段を選択するので、時間帯情報が示す時間帯ではない時間帯に、動作音の発生を伴わない第２の記憶手段を選択することができる。
【００２０】
また本発明は、第１の記憶手段から情報を読み出してもよいことを表す許可信号をオンオフする切り換え手段をさらに含み、
前記予め定める条件は、切り換え手段が許可信号をオンに切り換えている状態であることを条件とすることを特徴とする。
【００２１】
本発明に従えば、第１の記憶手段から情報を読み出してもよいことを表す許可信号を、切り換え手段によってオンオフすることによって、第１の記憶手段から情報を読み出すか、第２の記憶手段から情報を読み出すかを選択することができるので、たとえば第１の記憶手段から情報を読み出してもよい時間帯を表す時間帯情報を入力する必要がない。
【００２２】
また本発明は、照度を検出する照度検出手段をさらに含み、
前記予め定める条件は、照度検出手段が検出した照度が予め定めるしきい値より大きいことを条件とすることを特徴とする。
【００２３】
本発明に従えば、照度検出手段が検出した照度に応じて、第１の記憶手段から情報を読み出すか、第２の記憶手段から情報を読み出すかを選択することができるので、たとえば第１の記憶手段から情報を読み出してもよい時間帯を表す時間帯情報を入力する必要がない。
【００２４】
また本発明は、第１の記憶手段は、情報が記録されるディスクを回転させる駆動源を含み、
前記制御手段は、第１の記憶手段に含まれる駆動源の回転を停止することによって、第１の記憶手段の動作を停止することを特徴とする。
【００２５】
本発明に従えば、第１の記憶手段の動作の停止を、第１の記憶手段の駆動源の回転を停止することによって行うので、予め定める条件に応じて、第１の記憶手段が発生する音、たとえば駆動源が発生する動作音を抑止することができる。
【００２６】
また本発明は、第１の記憶手段は、第１の記憶手段に電力を供給する電源を含み、
前記制御手段は、第１の記憶手段に含まれる電源を切断することによって、第１の記憶手段の動作を停止することを特徴とする。
【００２７】
本発明に従えば、第１の記憶手段の動作の停止を、第１の記憶手段の電源を切断することによって行うので、予め定める条件に応じて、第１の記憶手段が発生する音を抑止することができ、かつ電力の消費を低減することができる。
【００２８】
また本発明は、第２の記憶手段は、少なくとも予め定める条件が成立していない期間に前記出力手段から要求される可能性のあるすべての情報の情報量以上の記憶容量を有することを特徴とする。
【００２９】
本発明に従えば、第２の記憶手段は、少なくとも予め定める条件が成立していない期間に、出力手段から要求される可能性のあるすべての情報の情報量以上の記憶容量を有するので、出力手段から要求される情報は第２の記憶手段に必ず記憶しておくことができる。
【００３０】
また本発明は、第２の記憶手段は、半導体メモリを含むことを特徴とする。
本発明に従えば、第２の記憶手段を半導体メモリで構成しているので、動作音を発生することがない。
【００３１】
また本発明は、情報を記憶するための第３の記憶手段と、
前記制御手段に第３の記憶手段を接続させて情報を送受信する通信手段をさらに含み、
第２の記憶手段に代えて、通信手段を介して接続された第３の記憶手段を用いることを特徴とする。
【００３２】
本発明に従えば、通信手段を介して第３の記憶手段を接続するので、第１の記憶手段が設置された場所と離れた場所に、第３の記憶手段を設置することができる。
【００３３】
また本発明は、前記予め定める情報は、数字、記号、および文字のフォントを表すフォント情報、電話の発信者名を表す発信者名情報を含む電話帳情報、発信元に送信するための音声データを含む音情報、および表示画面に表示するための画像データを含む画像情報のうち少なくともいずれかの情報を含むことを特徴とする。
【００３４】
本発明に従えば、予め定める情報は、少なくともフォント情報、電話帳情報、音情報、および画像情報のうちのいずれかを含むので、使用目的に応じた情報を、予め定める情報として、第２の記憶手段に記憶することができる。
【００３５】
また本発明は、第１の記憶手段に記憶された情報の中から情報を選択するための選択情報を入力する入力手段をさらに含み、
前記予め定める情報は、入力手段によって入力された選択情報が示す情報であることを特徴とする。
【００３６】
本発明に従えば、入力手段から入力された選択情報が示す情報を、予め定める情報とすることができるので、利用者が第１の記憶手段に記憶された情報の中から選択した情報を、音の発生を伴わない第２の記憶手段に記憶することができる。
【００３７】
また本発明は、前記制御手段は、前記出力手段から要求された情報が第２の記憶手段に記憶されていないとき、要求された情報が第２の記憶手段に記憶されていないことを表す情報を前記出力手段に送信することを特徴とする。
【００３８】
本発明に従えば、出力手段から要求された情報が第２の記憶手段に記憶されていないとき、要求された情報が第２の記憶手段に記憶されていないことを表す情報を出力手段に送信するので、出力手段は目的の情報を出力することができないことを示す情報を表示することができる。
【００３９】
また本発明は、情報を記憶する第１の記憶部であって、動作音の発生を伴って前記情報を読み出す第１の記憶部に記憶された情報を、情報を出力する出力部から要求されると、要求された情報を第１の記憶部から読み出して、読み出した情報を出力部に送信する記憶方法において、
予め定める条件が成立しなくなったとき、第１の記憶部から予め定める情報を読み出して、読み出した情報を、情報を記憶するための第２の記憶部であって、動作音の発生を伴わずに情報を書き込みおよび読み出す第２の記憶部に記憶する記憶工程と、
予め定める条件が成立したとき、第２の記憶部に記憶された予め定める情報を消去する消去工程と、
予め定める条件が成立しているときに出力部から要求された情報を、第１の記憶部から読み出し、予め定める条件が成立していないときに出力部から要求された情報を、第２の記憶部から読み出して、読み出した情報を出力部に送信する出力工程とを含むことを特徴とする記憶方法である。
【００４０】
本発明に従えば、情報を記憶する第１の記憶部であって、動作音の発生を伴って前記情報を読み出す第１の記憶部に記憶された情報を、情報を出力する出力部から要求されると、要求された情報を第１の記憶部から読み出して、読み出した情報を出力部に送信するにあたって、記憶工程で、予め定める条件が成立しなくなったとき、第１の記憶部から予め定める情報を読み出して、読み出した情報を、情報を記憶するための第２の記憶部であって、動作音の発生を伴わずに情報を書き込みおよび読み出す第２の記憶部に記憶し、消去工程で、予め定める条件が成立したとき、第２の記憶部に記憶された予め定める情報を消去し、出力工程で、予め定める条件が成立しているときに出力部から要求された情報を、第１の記憶部から読み出し、予め定める条件が成立していないときに出力部から要求された情報を、第２の記憶部から読み出して、読み出した情報を出力部に送信する。
【００４１】
このように、予め定める条件が成立しなくなったときに、予め定める情報を、第１の記憶部から読み出して、第２の記憶部に書き込み、出力部から要求された情報を、予め定める条件が成立していないときは、動作音の発生を伴わない第２の記憶部から読み出すので、情報を読み出す際に発生する音を特定の条件のときに抑止し、音の発生を抑止した状態でも必要な情報を読み出すことができる。
【００４２】
また本発明は、コンピュータに前記記憶方法の各工程を実行させるためのプログラムである。
【００４３】
本発明に従えば、コンピュータに記憶方法の各工程を実行させるプログラムとして提供することができる。
【００４４】
また本発明は、前記プログラムを記録したコンピュータ読取り可能な記録媒体である。
本発明に従えば、コンピュータに記憶方法の各工程を実行させるプログラムを記録したコンピュータ読取り可能な記録媒体として提供することができる。
【発明の効果】
【００４５】
本発明によれば、情報を読み出す際に発生する音を特定の条件のときに抑止し、音の発生を抑止した状態でも必要な情報を読み出すことができるので、予め定める条件に応じて、第１の記憶手段が発生する音、たとえば情報を記録再生するためのヘッドを駆動する駆動源の機械的な動作音を抑止し、動作音の発生を軽減した状態で情報を第２の記憶手段から読み出すことができ、たとえば夜間など静粛性が求められるときにも、動作音をあまり気にすることなく記憶装置を使用することができる。
【００４６】
また本発明によれば、予め定める条件が成立していない期間、第１の記憶手段が発生する音、たとえば情報を記録再生するためのヘッドを駆動する駆動源の機械的な動作音のほかに情報を記憶するためのディスクを回転する駆動源の機械的な動作音を抑止することができるので、たとえば夜間など静粛性が求められるときにも、動作音を全く気にすることなく記憶装置を使用することができる。すなわち、夜間は情報を動作音の発生を伴わない第２の記憶手段から静かに読み出すことができる。
【００４７】
また本発明によれば、時間帯情報が示す時間帯ではない時間帯に、動作音の発生を伴わない第２の記憶手段を選択することができるので、特定の時間帯に、第１の記憶手段が発生する音を軽減することができ、特定の時間帯に静寂が求められる場所に記憶装置を設置することができる。
【００４８】
また本発明によれば、第１の記憶手段から情報を読み出してもよい時間帯を表す時間帯情報を入力する必要がないので、時間帯情報を入力するための複雑な操作を行わなくてもよく、人が操作することができるスイッチなどの切り換え手段によって、随時、動作音の発生を伴わない第２の記憶手段を選択することができ、随時静寂を確保することができる。
【００４９】
また本発明によれば、第１の記憶手段から情報を読み出してもよい時間帯を表す時間帯情報を入力する必要がないので、時間帯情報を入力するための複雑な操作を行わなくてもよく、照度検出手段が検出する照度に応じて、たとえば部屋の明るさに応じて、動作音の発生を伴わない第２の記憶手段を選択することができ、部屋が暗いときに静寂を確保することができる。
【００５０】
また本発明によれば、予め定める条件に応じて、第１の記憶手段が発生する音、たとえば駆動源が発生する動作音を抑止することができるので、使用状況に応じて静寂を確保する必要がある場所に記憶装置を設置することができる。
【００５１】
また本発明によれば、予め定める条件に応じて、第１の記憶手段が発生する音を抑止することができ、かつ電力の消費を低減することができるので、使用状況に応じて静寂を確保する必要がある場所に記憶装置を設置することができ、さらに省電力化を図ることができる。
【００５２】
また本発明によれば、出力手段から要求される情報は第２の記憶手段に必ず記憶しておくことができるので、予め定める条件が成立していない期間に出力手段から要求される情報は、すべて出力手段に提供することができる。
【００５３】
また本発明によれば、動作音を発生することがないので、静寂を確保する必要がある場所に記憶装置を設置することができる。
【００５４】
また本発明によれば、第３の記憶手段を、第１の記憶手段が設置された場所と離れた場所、たとえば静寂が要求されない場所に設置することができるので、第３の記憶手段として、動作音の発生を伴う記憶手段を用いることができる。
【００５５】
また本発明によれば、使用目的に応じた情報を、予め定める情報として、第２の記憶手段に記憶することができるので、記憶装置の使用形態に応じた情報を表示することができる。
【００５６】
また本発明によれば、利用者が第１の記憶手段に記憶された情報の中から選択した情報を、音の発生を伴わない第２の記憶手段に記憶することができるので、利用者が望む情報を表示することができ、利押者の利便性を保つことができる。
【００５７】
また本発明によれば、出力手段は目的の情報を出力することができないことを示す情報を表示することができるので、利用者は、目的の情報が出力されない理由が静寂を保つためであることを知ることができる。
【００５８】
また本発明によれば、情報を読み出す際に発生する音を特定の条件のときに抑止し、音の発生を抑止した状態でも必要な情報を読み出すことができるので、予め定める条件に応じて、第１の記憶部が発生する音、たとえば情報を記録再生するためのヘッドを駆動する駆動源の機械的な動作音を抑止し、動作音の発生を軽減した状態で情報を第２の記憶部から読み出すことができ、たとえば夜間など静粛性が求められるときにも、動作音をあまり気にすることなく記憶装置を使用することができる。
【００５９】
また本発明によれば、コンピュータに記憶方法の各工程を実行させるプログラムとして提供することができる。
【００６０】
また本発明によれば、コンピュータに記憶方法の各工程を実行させるプログラムを記録したコンピュータ読取り可能な記録媒体として提供することができる。
【発明を実施するための最良の形態】
【００６１】
図１は、本発明の実施の一形態である記憶装置１の構成を示す図である。記憶装置１は、第１の記憶部１１、第２の記憶部１２、データ制御部１３、入力部１４、判断部１５、および出力部１６を含む。第１の記憶部１１は、たとえばハードディスク装置（以下、ハードディスクという）、あるいはＣＤ（Compact Disk）もしくはＤＶＤ（Digital
Versatile Disk）の記録再生装置などで構成され、音の発生、たとえば情報を記録再生するためのヘッドを駆動する駆動源の機械的な動作音、および情報を記憶するためのディスクを回転する駆動源の機械的な動作音の発生を伴う比較的大容量の動的な記憶装置である。第２の記憶部１２は、たとえば半導体メモリ、あるいは着脱可能なメモリカードなどで構成され、動作音の発生を伴わない静的な記憶装置である。
【００６２】
データ制御部１３は、出力部１６からデータを要求されると、要求されたデータを、判断部１５から通知される情報に基づいて、第１の記憶部１１または第２の記憶部１２から読み出して出力部１６に送信する。入力部１４は、動作音が発生してもよいことを示す許可条件、つまり第１の記憶部１１から情報を読み出してもよいことを示す許可条件を表す許可条件情報を入力する入力装置であり、たとえばキーボード、マウス、あるいはタッチパネルなどで構成される。図１に示した太い矢印は、情報の移動方向を示すものであり、第１の記憶部１１および第２の記憶部１２からの情報の読み出し、第２の記憶部１２への情報の書き込み、ならびに出力部１６への情報の送信は、データ制御部１３が行う。
【００６３】
判断部１５は、入力部１４から入力された許可条件情報が示す許可条件が成立しているか否か、許可条件が成立している状態から許可条件が成立していない状態へ変化したか否か、および許可条件が成立していない状態から許可条件が成立している状態へ変化したか否かを判断し、判断した判断結果をデータ制御部１３に通知する。出力部１６は、情報を出力する出力装置、たとえばＬＣＤ（Liquid Crystal Display）などの表示画面を有する表示装置あるいはスピーカなどの音出力装置などによって構成される。
【００６４】
データ制御部１３は、許可条件が成立しなくなったとき、すなわち判断部１５から、許可条件が成立している状態から許可条件が成立していない状態へ変化したと通知されたとき、第１の記憶部１１から、出力部１６から要求される可能性のある情報、つまり出力用データを読み出して、第２の記憶部１２に書き込む。第２の記憶部１２に書き込まれた出力用データは、許可条件が成立したとき、すなわち判断部１５から、許可条件が成立していない状態から許可条件が成立している状態へ変化したと通知されたとき、消去される。
【００６５】
出力部１６は、情報を出力するために用いる出力用データ、たとえば電話機などの液晶ディスプレイに、着信時に表示するナンバーディスプレイのためのフォントデータが必要になると、必要になった出力用データをデータ制御部１３に要求する。データ制御部１３は、出力部１６から出力用データを要求されたとき、許可条件が成立しているか否かを判断部１５に問い合わせる。判断部１５は、許可条件が成立しているか否かの判断結果をデータ制御部１３に通知する。データ制御部１３は、判断部１５の判断結果が、許可条件が成立していることを示していると、要求された出力用データを第１の記憶部１１から読み出し、判断部１５の判断結果が、許可条件が成立していないことを示していると、要求された出力用データを第２の記憶部１２から読み出して、読み出した出力用データを出力部１６へ送信する。出力部１６は、データ制御部１３から送信された出力用データを用いて、情報を出力する。
【００６６】
さらにデータ制御部１３は、許可条件が成立しなくなったとき、第１の記憶部１１に動作の停止を指示してもよい。第１の記憶部１１に動作の停止を指示した場合、データ制御部１３は、許可条件が成立したとき、第１の記憶部１１に動作の開始を指示する。第１の記憶部１１の動作の停止は、たとえば第１の記憶部１１に電力を供給する電源をオフすることによって、あるいは情報を記憶するためのディスクを回転させる駆動源、たとえばモータの回転を停止することによって行われる。
【００６７】
第２の記憶部１２の記憶容量は、少なくとも許可条件が成立していない期間に、出力部１６から要求されるすべての情報の情報量以上の記憶容量を有する。たとえば許可条件が、６時から２１時であると、２１時から翌朝の６時までの９時間の間に要求される可能性のあるすべての情報の情報量以上の記憶容量とする。
【００６８】
さらに、第２の記憶部１２の記憶容量は、第１の記憶部１１の記憶容量より少ない記憶容量、たとえば第１の記憶部１１に記憶されている情報であって、出力部１６から要求される可能性のあるすべての情報の情報量以下の記憶容量としてもよい。
【００６９】
第１の記憶手段は、たとえば第１の記憶部１１であり、第２の記憶手段は、たとえば第２の記憶部１２であり、制御手段は、たとえばデータ制御部１３および判断部１５であり、入力手段は、たとえば入力部１４であり、出力手段は、たとえば出力部１６である。
【００７０】
このように、予め定める条件である許可条件が成立しなくなったときに、予め定める情報である出力用データを、第１の記憶手段である第１の記憶部１１から読み出して、第２の記憶手段である第２の記憶部１２に書き込み、出力手段である出力部１６から要求された情報を、予め定める条件が成立していないときは、動作音の発生を伴わない第２の記憶手段から読み出すので、情報を読み出す際に発生する音を特定の条件のときに抑止し、音の発生を抑止した状態でも必要な情報を読み出すことができる。したがって、予め定める条件に応じて、第１の記憶手段が発生する音、たとえば情報を記録再生するためのヘッドを駆動する駆動源の機械的な動作音を抑止し、動作音の発生を軽減した状態で情報を第２の記憶手段から読み出すことができ、たとえば夜間など静粛性が求められるときにも、動作音をあまり気にすることなく記憶装置を使用することができる。
【００７１】
さらに、予め定める条件である許可条件が成立しなくなったときに、動作音の発生を伴う第１の記憶手段である第１の記憶部１１の動作を停止し、予め定める条件が成立したときに、動作音の発生を伴う第１の記憶手段の動作を開始するので、予め定める条件が成立していない期間、第１の記憶手段が発生する音を抑止することができる。したがって、予め定める条件が成立していない期間、第１の記憶手段が発生する音、たとえば情報を記録再生するためのヘッドを駆動する駆動源の機械的な動作音のほかに情報を記憶するためのディスクを回転する駆動源の機械的な動作音を抑止することができるので、たとえば夜間など静粛性が求められるときにも、動作音を全く気にすることなく記憶装置を使用することができる。すなわち、夜間は情報を動作音の発生を伴わない第２の記憶手段から静かに読み出すことができる。
【００７２】
さらにまた、第２の記憶手段である第２の記憶部１２は、少なくとも予め定める条件である許可条件が成立していない期間に、出力手段である出力部１６から要求される可能性のあるすべての情報の情報量以上の記憶容量を有するので、出力手段から要求される情報は第２の記憶手段に必ず記憶しておくことができる。したがって、予め定める条件が成立していない期間に出力手段から要求される情報は、すべて出力手段に提供することができる。
【００７３】
さらに、第２の記憶手段である第２の記憶部１２の記憶容量が、たとえば第１の記憶手段である第１の記憶部１１に記憶されている情報であって、出力手段である出力部１６から要求される可能性のあるすべての情報の情報量以下の記憶容量であると、第２の記憶手段の記憶領域のうち、少なくとも出力部１６から要求される可能性のある情報が記憶される記憶領域以外の記憶領域を削減することができる。したがって、第２の記憶手段の記憶容量を削減することができる。
【００７４】
さらに、第２の記憶部１２に記憶されていた出力用データは、許可条件が成立したとき、消去されるので、許可条件が成立している間、第２の記憶手段の記憶エリアを、他の処理、たとえば取得したＱＲ（Quick Response）コードの画像の回転および拡大縮小処理を行うためのメモリとして用いることができる。したがって、許可条件が成立している間、半導体メモリを他の処理に用いることができ、他の処理の処理速度を向上することができる。
【００７５】
図２は、図１に示した記憶装置１の実施例を示す図である。図２に示した実施例は、ハードディスクを備えた電話機１ａであり、図１に示した記憶装置１の第１の記憶部１１、第２の記憶部１２、入力部１４、判断部１５、および出力部１６として、それぞれハードディスク１１ａ、半導体メモリ１２ａ、キーボード１４ａ、時計・タイマ部１５ａ、およびデータ出力部１６ａを用いて構成されている。
【００７６】
キーボード１４ａは、ハードディスク１１ａから情報を読み出してもよい許可条件を表す許可条件情報、たとえば時間帯を表す時間帯情報を入力する。時計・タイマ部１５ａは、時刻を表す時刻情報を生成する時刻情報生成手段、たとえば時刻を示す図示しないタイマ、およびキーボード１４ａから入力された時間帯情報を記憶する図示しない時間帯記憶部を含む。時計・タイマ部１５ａは、タイマが示す時刻が、時間帯記憶部に記憶された時間帯情報が示す時間帯にあるか否かを判断し、判断結果をデータ制御部１３に通知する。さらに時計・タイマ部１５ａは、時刻が、時間帯記憶部に記憶された時間帯情報が示す時間帯になったとき、およびその時間帯でなくなったとき、その旨をデータ制御部１３に通知する。
【００７７】
たとえばキーボード１４ａから、６時から２１時までの時間帯を表す時間帯情報が入力された場合、キーボード１４ａは、入力された時間帯情報を時計・タイマ部１５ａに送る。時計・タイマ部１５ａは、キーボード１４ａから送られた時間帯情報を時間帯記憶部に記憶する。
【００７８】
データ制御部１３は、出力部１６から出力用データの要求があると、ハードディスク１１ａから情報を読み出してもよい時間帯にあるか否かを、判断部１５である時計・タイマ部１５ａに問い合わせる。時計・タイマ部１５ａは、タイマが示す時刻が、時間帯記憶部に記憶されている時間帯情報が示す時間帯にあるか否かを判断し、判断結果をデータ制御部１３に通知する。たとえばデータ制御部１３が時計・タイマ部１２ａに問い合わせたときのタイマが示す時刻が１５時であると、その時の時刻つまり現在時刻は、時間帯情報が示す時間帯、つまり６時から２１時の時間帯にあるので、現在時刻がハードディスク１１ａから情報を読み出してもよい時間帯にある旨をデータ制御部１３に通知する。データ制御部１３は、要求された出力用データをハードディスク１１ａから読み出して、出力部１６に送信する。
【００７９】
時計・タイマ部１５ａは、タイマが示す時刻が、時間帯情報が示す時間帯でなくなったとき、つまり２１時になったとき、ハードディスク１１ａから情報を読み出してもよい時間帯でなくなったことを、データ制御部１３に通知する。データ制御部１３は、時計・タイマ部１５ａから、ハードディスク１１ａから情報を読み出してもよい時間帯でなくなったことを通知されたとき、ハードディスク１１ａから出力用データを読み出して、読み出した出力用データを半導体メモリ１２ａに書き込む。
【００８０】
時計・タイマ部１５ａは、時間帯情報が示す時間帯にあるか否かの問い合わせをデータ制御部１３から受けたとき、タイマが示す時刻が３時であると、現在時刻は、時間帯情報が示す時間帯、つまり６時から２１時の時間帯にないので、現在時刻がハードディスク１１ａに情報を記憶してもよい時間帯にない旨をデータ制御部１３に通知する。データ制御部１３は、現在時刻がハードディスク１１ａから情報を読み出してもよい時間帯にないので、出力部１６から要求のあった出力用データを半導体メモリ１２ａから読み出して、出力部１６に送信する。
【００８１】
時計・タイマ部１５ａは、タイマが示す時刻が、時間帯情報が示す時間帯になったとき、つまり６時になったとき、ハードディスク１１ａから情報を読み出してもよい時間帯になったことを、データ制御部１３に通知する。データ制御部１３は、時計・タイマ部１５ａから、ハードディスク１１ａから情報を読み出してもよい時間帯になったことを通知されると、半導体メモリ１２ａに記憶されていた出力用データを消去して、情報を記憶することができるメモリエリアを空ける。
【００８２】
上述した実施例では、ハードディスク１１ａの動作を停止していないが、ハードディスク１１ａから情報を読み出してもよい時間帯でない期間、ハードディスク１１ａの動作を停止してもよい。具体的には、データ制御装置１３は、時計・タイマ部１５ａから、ハードディスク１１ａから情報を読み出してもよい時間帯でなくなったことを通知されたとき、つまり２１時になったとき、ハードディスク１１ａの動作を停止する。ハードディスク１１ａの動作の停止は、たとえばハードディスク１１ａの電源オフ、あるいは情報が記録されるディスクを回転させる駆動源、たとえばモータの回転を停止することによって行う。さらに時計・タイマ部１５ａから、ハードディスク１１ａから情報を読み出してもよい時間帯になったことを通知されたとき、つまり６時になったとき、ハードディスク１１ａの動作を開始する。
【００８３】
図３は、図２に示した電話機１ａの動作およびメモリの状態を時系列に示した図である。横軸が時間の経過を示しており、上段に時刻を示している。下段に、メモリ使用の様子、つまりハードディスク１１ａおよび半導体ディスク１２ａのメモリ内に記憶されているデータを、各時刻、たとえば左から２１時００分、３時００分、６時００分、および１５時００分の時刻に対応させて示している。
【００８４】
データ制御部１３は、２１時００分に、ハードディスク１１ａから情報を読み出してもよい時間帯ではなくなるので、ハードディスク１１ａから半導体メモリ１２ａに出力用データを複製、つまりハードディスク１１ａから出力用データを読み出して、半導体メモリ１２ａに書き込む。さらにハードディスク１１ａに動作の停止を指示する。ハードディスク１１ａの動作の停止は、情報を記録するためのディスクの回転を駆動する駆動源、たとえばモータの回転を停止することによって行う。ハードディスク１１ａのモータの回転が停止するので、動作音は発生しなくなる。この時、ハードディスク１１ａは、出力用データを記憶しており、半導体メモリ１２ａは、データを何も記憶しておらず、空きエリアである。
【００８５】
データ制御部１３は、３時００分に、出力部１６からデータ要求があると、つまり出力用データを要求されると、要求された出力用データを半導体メモリ１２ａから読み出して、読み出した出力用データを出力部１６に送信する。ハードディスク１１ａは動作しないので、動作音は発生しない。ハードディスク１１ａは、出力用データを記憶しており、半導体メモリ１２ａは、２１時００分にハードディスク１１ａから複製された出力用データを記憶している。
【００８６】
データ制御部１３は、６時００分に、ハードディスク１１ａから情報を読み出してもよい時間帯になるので、半導体メモリ１２ａに記憶されている出力用データを消去し、さらにハードディスク１１ａに動作の開始を指示する。ハードディスク１１ａは、モータの回転を開始する。ハードディスク１１ａは、出力用データを記憶しており、半導体メモリ１２ａは、２１時００分に複製された出力用データが消去されるので、データを何も記憶していない状態となり、空きエリアになる。
【００８７】
データ制御部１３は、１５時００分に、出力部１６からデータ要求があると、要求された出力用データをハードディスク１１ａから読み出して、読み出した出力用データを出力部１６に送信する。ハードディスク１１ａが動作するので、動作音が発生する。この時、ハードディスク１１ａは、出力用データを記憶しており、半導体メモリ１２ａは、空きエリアのままである。
【００８８】
データ制御部１３は、２１時００分に、ハードディスク１１ａから情報を読み出してもよい時間帯ではなくなるので、再びハードディスク１１ａから半導体メモリ１２ａに出力用データを複製し、ハードディスク１１ａに動作の停止を指示する。ハードディスク１１ａのモータが回転を停止するので、動作音は発生しなくなる。
【００８９】
このように、入力手段であるキーボード１４ａから入力された時間帯情報に基づいて、動作音の発生を伴わない第２の記憶手段である第２の記憶部１２を選択するので、時間帯情報が示す時間帯ではない時間帯に、動作音の発生を伴わない第２の記憶手段を選択することができる。したがって、特定の時間帯に、第１の記憶手段が発生する音を軽減することができ、特定の時間帯に静寂が求められる場所に記憶装置を設置することができる。
【００９０】
さらに、ハードディスク１１ａから情報を読み出してもよい時間帯でなくなると、ハードディスク１１ａのモータの回転を停止し、ハードディスク１１ａから情報を読み出してもよい時間帯になると、ハードディスク１１ａのモータの回転を開始するので、ハードディスク１１ａに情報を記憶してもよい時間帯でない期間、モータの回転音の発生を抑止することができる。すなわち第１の記憶手段であるハードディスク１１ａの動作の停止を、第１の記憶手段の駆動源、たとえばモータの回転を停止することによって行うので、予め定める条件である許可条件に応じて、第１の記憶手段が発生する音、たとえば駆動源が発生する動作音を抑止することができる。したがって、使用状況に応じて静寂を確保する必要がある場所に記憶装置１を設置することができる。
【００９１】
さらにまた、第２の記憶手段である第２の記憶部１２を半導体メモリ１２ａで構成しているので、動作音を発生することがない。したがって、静寂を確保する必要がある場所に記憶装置１を設置することができる。
【００９２】
上述した実施の形態では、ハードディスク１１ａの動作の停止を、ハードディスク１１ａのモータの回転を停止することによって行ったが、ハードディスク１１ａに電力を供給する電源を切断することによって行ってもよい。具体的には、データ制御部１３は、時刻２１時００分に、ハードディスク１１ａから情報を読み出してもよい時間帯ではなくなるので、ハードディスク１１ａの電源を切断し、さらに時刻６時００分に、ハードディスク１１ａから情報を読み出してもよい時間帯になるので、ハードディスク１１ａの電源を投入する。
【００９３】
このように、第１の記憶手段であるハードディスク１１ａの動作の停止を、第１の記憶手段の電源を切断することによって行うので、予め定める条件である許可条件に応じて、第１の記憶手段が発生する音を抑止することができ、かつ電力の消費を低減することができる。したがって、使用状況に応じて静寂を確保する必要がある場所に記憶装置１を設置することができ、さらに省電力化を図ることができる。
【００９４】
図４は、本発明の実施の他の形態である記憶方法による処理手順を示すフローチャートである。図１に示した記憶装置１は、たとえばＣＰＵ（Central Processing Unit）およびメモリを含むコンピュータを用いて構成してもよく、コンピュータに含まれるメモリに記憶されたプログラムによって、この処理手順が実行される。このプログラムは、データ制御部１３および判断部１５に含まれる機能をコンピュータに実現させる。記憶装置１の電源が投入され、記憶装置１の初期設定が完了すると、ステップＳ１に移る。
【００９５】
ステップＳ１では、データ制御部１３は、第１の記憶部１１であるハードディスク１１ａから、第２の記憶部１２である半導体メモリ１２ａに、出力用データを複製した状態であることを示すデータコピー済フラグをオフにする。このデータコピー済フラグは、コンピュータに含まれるメモリに記憶される。ステップＳ２では、判断部１５である時計・タイマ部１５ａは、タイマが示す時刻が、設定時間内か否か、つまりハードディスク１１ａから情報を読み出してもよい時間帯にあるか否かを判断し、判断結果をデータ制御部１３に通知する。データ制御部１３に通知された判断結果が、設定時間内であることを示していないと、ステップＳ３に進み、設定時間内であることを示していると、ステップＳ１０に進む。
【００９６】
ステップＳ３では、データ制御部１３は、コンピュータに含まれるメモリに記憶されたデータコピー済フラグがオンであるか否かを判断する。データコピー済フラグがオンであると、ステップＳ６に進み、データコピー済フラグがオンでないと、ステップＳ４に進む。ステップＳ４では、データ制御部１３は、ＨＤＤ（Hard Disk Drive）、つまりハードディスク１１ａから半導体メモリ１２ａに出力用データを複製、つまりハードディスク１１ａから出力用データを読み出して、読み出した出力用データを半導体メモリ１２ａに書き込む。ステップＳ５では、データ制御部１３は、データコピー済フラグをオンにする。
【００９７】
ステップＳ６では、データ制御部１３は、出力部１６であるデータ出力部１６ａからデータ要求があるか否か、つまりデータ出力部１６ａから出力用データの要求があるか否かを判断する。データ要求があると、ステップＳ７に進み、データ要求がないと、ステップＳ２に戻る。ステップＳ７では、データ制御部１３は、設定時間内か否か、つまりハードディスク１１ａから情報を読み出してもよい時間帯にあるか否かを、時計・タイマ部１５ａに問い合わせる。時計・タイマ部１５ａは、タイマが示す時刻が、設定時間内か否かを判断し、判断結果をデータ制御部１３に通知する。データ制御部１３に通知された判断結果が、設定時間内であることを示していないと、ステップＳ８に進み、設定時間内であることを示していると、ステップＳ９に進む。
【００９８】
ステップＳ８では、データ制御部１３は、要求された出力用データを、半導体メモリ１２ａから読み出して、読み出した出力用データをデータ出力部１６ａに送信して終了する。ステップＳ９では、データ制御部１３は、要求された出力用データを、ＨＤＤ、つまりハードディスク１１ａから読み出して、読み出した出力用データをデータ出力部１６ａに送信して終了する。
【００９９】
ステップＳ１０では、データ制御部１３は、データコピー済フラグがオンであるか否かを判断する。データコピー済フラグがオンであると、ステップＳ１１に進み、データコピー済フラグがオンでないと、ステップＳ６に進む。ステップＳ１１では、データ制御部１３は、半導体メモリ１２ａに記憶されている出力用データを消去する。ステップＳ１２では、データ制御部１３は、データコピー済フラグをオフにして、ステップＳ６に進む。
【０１００】
上述したフローチャートでは、第１の記憶部１１であるハードディスク１１ａの動作の停止および開始を行っていないが、ハードディスク１１ａの動作の停止および開始を行ってもよい。具体的には、データ制御部１３は、ステップＳ４とステップＳ５の間で、つまり設定時間内でなくなり、ハードディスク１１ａから半導体メモリ１２ａに出力用データを複製した後、ハードディスク１１ａの動作を停止し、さらにステップＳ１１とステップＳ１２の間で、つまり設定時間内になり、半導体メモリ１２ａに記憶された出力用データを消去した後、ハードディスク１１ａの動作を開始する。
【０１０１】
このように、本発明によれば、コンピュータに上述した記憶方法の各手順、つまり各工程を実行させるプログラムとして提供することができる。
【０１０２】
図５は、本発明の実施のさらに他の形態である電話機１ｂの構成を示す図である。電話機１ｂは、図２に示した電話機１ａの半導体メモリ１２ａを、ネットワークなどの通信回線１８を介して、データ制御部１３に接続された第３の記憶手段であるハードディスク１７に置き換えたものである。ハードディスク１７および通信回線１８を除く構成要素は、図２に示した構成要素と同じであるので、説明を省略する。
【０１０３】
ハードディスク１７は、通信回線１８を介して、ハードディスク１７および通信回線１８を除く電話機１ｂが設置された場所から離れた場所、つまりハードディスク１７が発生する動作音が、ハードディスク１７および通信回線１８を除く電話機１ｂが設置された場所に届かない場所に設置される。したがって、第３の記憶手段は、動作音の発生を伴う記憶装置、たとえばハードディスク１７であっても、動作音の発生を伴わない半導体メモリ１２ａの代わりに用いることができる。
【０１０４】
第３の記憶手段は、ハードディスク１７に限定されるものではなく、たとえばＮＡＳ（Network Attached Storage）などの記憶手段であってもよい。通信回線１８は、ＬＡＮ（Local Area Network）などのネットワークであり、有線通信であってもよいし、無線通信であってもよく、通信の形態は問わない。
【０１０５】
このように、通信手段である通信回線１８を介して第３の記憶手段であるハードディスク１７をデータ制御部１３に接続するので、第１の記憶手段である第１の記憶部１１が設置された場所と離れた場所に、第３の記憶手段を設置することができる。したがって、第３の記憶手段を、第１の記憶手段が設置された場所と離れた場所、たとえば静寂が要求されない場所に設置することができるので、第３の記憶手段として、動作音の発生を伴う記憶手段を用いることができる。
【０１０６】
上述した実施の形態では、ハードディスク１１ａから情報を読み出してもよい許可条件を表す許可条件情報として、入力部１４から入力された時間帯情報を用いて、第１の記憶部１１から情報を読み出すか、第２の記憶部１２から情報を読み出すかを判断したが、人が操作することができるスイッチなどの切り換え手段を記憶装置１に設けて、その切り換え手段が出力する許可信号を用いて、第１の記憶部１１から情報を読み出すか、第２の記憶部１２から情報を読み出すかを判断してもよい。許可信号は、許可信号がオンのときに、第１の記憶部１１から情報を読み出してもよいことを示す信号である。
【０１０７】
具体的には、切り換え手段、たとえばスイッチは、判断部１５に入力される許可信号をオンオフする。判断部１５は、入力された許可信号に基づいて、許可信号がオンであるか否か、および許可信号が変化した否かを判断し、判断した判断結果をデータ制御部１３に通知する。データ制御部１３は、判断部１５から許可信号がオンからオフへ変化したことを通知されると、第１の記憶部１１から出力用データを読み出し、読み出した出力用データを第２に記憶部１２に書き込む。さらに判断部１５から許可信号がオフからオンへ変化したことを通知されると、第２の記憶部に記憶されていた出力用データを消去する。
【０１０８】
データ制御部１３は、出力部１６から出力用データの要求を受けたとき、判断部１５から許可信号がオンであることを通知されると、要求された出力用データを第１の記憶部１１から読み出し、判断部１５から許可情報がオフであることを通知されると、要求された出力用データを第２の記憶部１２から読み出して、読み出した出力用データを出力部１６に送信する。
【０１０９】
さらに第１の記憶部１１の動作の停止および開始を行う場合は、データ制御部１３は、許可信号がオンからオフへ変化し、第１の記憶部１１から第２に記憶部１２に出力用データを複製した後、第１の記憶部１１の動作を停止する。さらにデータ制御部１３は、許可信号がオフからオンへ変化し、第２の記憶部に記憶されていた出力用データを消去した後、第１の記憶部１１の動作を開始する。
【０１１０】
このように、第１の記憶手段である第１の記憶部１１から情報を読み出してもよいことを表す許可信号を、切り換え手段であるスイッチによってオンオフすることによって、第１の記憶手段から情報を読み出すか、第２の記憶手段である第２の記憶部１２から情報を読み出すかを選択することができるので、たとえば第１の記憶手段から情報を読み出してもよい時間帯を表す時間帯情報を入力する必要がない。したがって、たとえば時間帯情報を入力するための複雑な操作を行わなくてもよく、人が操作することができるスイッチなどの切り換え手段によって、随時、動作音の発生を伴わない第２の記憶手段を選択することができ、随時静寂を確保することができる。
【０１１１】
スイッチなどの切り換え手段に代えて、記憶装置１が設置された場所の照度を検出する照度検出手段である照度センサを用いてもよい。具体的には、記憶装置１に照度センサを設け、判断部１５は、照度センサが検出した照度に基づいて、照度が予め定められたしきい値より大きいか否か、照度が予め定められたしきい値より大きくなったか否か、および照度が予め定められたしきい値より大きくなくなったか否かを判断し、判断した判断結果をデータ制御部１３に通知する。
【０１１２】
データ制御部１３は、判断部１５から照度がしきい値より大きくなくなったことを通知されると、第１の記憶部１１から出力用データを読み出し、読み出した出力用データを第２の記憶部１２に書き込む。判断部１５から照度がしきい値より大きくなったことを通知されると、第２の記憶部１２に記憶されている出力用データを消去する。
【０１１３】
データ制御部１３は、出力部１６から出力用データを要求されたとき、判断部１５から通知された判断結果が、照度がしきい値より大きいことを示していると、要求された出力用データを第１の記憶部１１から読み出し、判断部１５から通知された判断結果が、照度がしきい値より大きくないことを示していると、要求された出力用データを第２の記憶部１２から読み出して、読み出した出力用データを出力部１６に送信する。
【０１１４】
さらに第１の記憶部１１の動作の停止および開始を行う場合は、データ制御部１３は、判断部１５から照度がしきい値より大きくなくなったことを通知され、第１の記憶部１１から第２の記憶部１２に出力用データを複製した後、第１の記憶部１１の動作を停止する。さらにデータ制御部１３は、判断部１５から照度がしきい値より大きくなったことを通知され、第２の記憶部１２に記憶されている出力用データを消去した後、第１の記憶部１１の動作を開始する。
【０１１５】
このように、照度検出手段である照度センサが検出した照度に応じて、第１の記憶手段である第１の記憶部１１から情報を読み出すか、第２の記憶手段である第２の記憶部１２から情報を読み出すかを選択することができるので、たとえば第１の記憶手段から情報を読み出してもよい時間帯を表す時間帯情報を入力する必要がない。したがって、たとえば時間帯情報を入力するための複雑な操作を行わなくてもよく、照度検出手段が検出する照度に応じて、たとえば部屋の明るさに応じて、動作音の発生を伴わない第２の記憶手段を選択することができ、部屋が暗いときに静寂を確保することができる。
【０１１６】
上述した実施の形態では、第１の記憶部１１から情報を読み出してもよいことを示す許可条件として、入力部１４から入力された時間帯を表す時間帯情報、スイッチなどの切り換え手段によってオンオフされる許可信号、あるいは照度センサが検出した照度を個別に用いたが、これらを併用してもよい。
【０１１７】
さらに上述した実施の形態では、記憶装置１として、電話機１ａおよび電話機１ｂを例に挙げたが、記憶装置１は、これらに限定されるものではない。記憶装置１は、たとえばファクシミリ装置、ＭＦＰ（Multi Function Peripheral）、あるいはパーソナルコンピュータなど、動作音の発生を伴う大容量の動的な第１の記憶部１１と、動作音の発生を伴わない小容量の静的な第２の記憶部１２を有する装置であれば、実施形態は問わない。
【０１１８】
さらに上述した実施の形態では、第２の記憶部１２に記憶する出力用データとして、電話機などの液晶ディスプレイに、着信時に表示するナンバーディスプレイのためのフォントデータを例に挙げたが、出力用データは、そのフォントデータを含む数字、記号、および文字のフォントを表すフォント情報、電話機などの電話帳に保存されている相手先名を表す相手先名情報を含む電話帳情報、未読の受信電子メールを表す電子メール情報、着信があったときに発信元に送信するための音声データ、たとえば「ただいま電話に出られません」などの利用者が録音した音声を表す音声データを含む音情報、ならびに毎日特定の時刻に変更するための壁紙データなどの表示画面に表示するための画像データおよび動画データを含む画像情報のうち少なくともいずれかを含む。出力用データとしてどのような情報を記憶するかは、記憶装置１の実施形態に応じて選択可能である。
【０１１９】
このように、予め定める情報である出力用データは、少なくともフォント情報、電話帳情報、電子メール情報、音情報、および画像情報のうちのいずれかを含むので、使用目的に応じた情報を、予め定める情報として第２の記憶手段である第２の記憶部１２に記憶することができる。したがって、記憶装置１の使用形態に応じた情報を表示することができる。
【０１２０】
さらに、第２の記憶部１２に記憶させる出力用データを利用者が選択することができるようにしてもよい。具体的には、利用者が、第１の記憶部１１に記憶されている情報の中から、第２の記憶部１２に記憶させたい情報を選択する選択情報を、入力部１４から入力する。データ制御部１３は、第１の記憶部１１から出力用データを読み出して、第２の記憶部１２に書き込む際に、入力部１４から入力された選択情報が示す情報を、第１の記憶部１１から読み出して、出力用データとして第２の記憶部１２に書き込む。
【０１２１】
出力部１６から要求された出力用データが、第２の記憶部１２に記憶されていないときは、要求された出力用データが第２の記憶部１２に記憶されていないことを表す情報を出力部１６に送信する。あるいは一時的に動作音の発生が許される場合は、要求された出力用データを第１の記憶部１１から読み出して、出力部１６に送信してもよい。
【０１２２】
このように、入力手段である入力部１４から入力された選択情報が示す情報を、予め定める情報である出力用データとすることができるので、利用者が第１の記憶手段である第１の記憶部１１に記憶された情報の中から選択した情報を、音の発生を伴わない第２の記憶手段である第２の記憶部１２に記憶することができる。したがって、利用者が望む情報を表示することができ、利押者の利便性を保つことができる。
【０１２３】
さらに、出力手段である出力部１６から要求された情報つまり出力用データが、第２の記憶手段である第２の記憶部１２に記憶されていないとき、要求された情報が第２の記憶手段に記憶されていないことを表す情報を出力手段に送信するので、出力手段は目的の情報を出力することができないことを示す情報を表示することができる。したがって、利用者は、静寂を保つために、目的の情報が出力されないことを知ることができる。
【０１２４】
あるいは要求された情報を第１の記憶手段から読み出して、読み出した情報を出力手段に送信するので、要求された情報を読み出す際に動作音が発生するが、目的の情報を出力することができる。したがって、利用者は、目的の情報が読み出される際に動作音が発生するが、目的の情報を見ることができる。
【０１２５】
第２の記憶部１２の記憶容量が限定され、出力用データ、つまり出力部１６から要求される可能性のある情報を第２の記憶部１２にすべて記憶することができない場合は、出力用データに含まれる情報のうち優先順位の高い情報を、第２の記憶部１２に記憶する。優先順位は、初期設定などで予め設定しておく。出力部１６から要求された出力用データが、第２の記憶部１２に記憶されていないときは、記憶されていないことを示す情報を出力部１６に送信する。あるいは一時的に動作音の発生が許される場合は、要求された出力用データを第１の記憶部１１から読み出して、出力部１６に送信してもよい。
【０１２６】
このように、出力用データに含まれる情報のうち優先順位の高い情報を第２の記憶部１２に記憶するので、第２の記憶部１２の記憶容量が少ない場合にも適用することができる。
【０１２７】
上述した実施の形態では、図４に示した記憶方法の各工程をコンピュータに実行させるためのプログラムを、コンピュータに含まれるメモリに記憶したが、プログラムは、コンピュータで読取り可能な記録媒体に記憶されていればよく、記録媒体としては、外部記憶装置としてプログラム読取装置が設けられ、そこに記録媒体を挿入することによって読取り可能となるような記録媒体であってもよい。
【０１２８】
記録媒体に格納されているプログラムは、ＣＰＵがアクセスして実行可能な構成であればよい。あるいはプログラムを読み出し、読み出したプログラムを図示されていないプログラム記録エリアにダウンロードして、プログラムを実行する構成であればよい。このダウンロード用のプログラムは、予めＣＰＵ内のＲＯＭ（Read Only Memory）などに格納しておく。
【０１２９】
記録媒体が記憶装置１と分離可能に構成される場合、記録媒体は、磁気テープ／カセットテープなどのテープ系、フレキシブルディスク／ハードディスクなどの磁気ディスクもしくはＣＤ−ＲＯＭ（Compact Disk-Read Only Memory）／ＭＯ（Magneto Optical
Disk）／ＭＤ（Mini Disk）／ＤＶＤ（Digital Versatile Disk）などの光ディスクのディスク系、メモリカードを含むＩＣ（Integrated Circuit）カード／光カードなどのカード系、あるいはマスクＲＯＭ／ＥＰＲＯＭ（Erasable Programmable Read Only Memory）／フラッシュＲＯＭなどによる半導体メモリ系の記録媒体を含め、固定的にプログラムを担持する記録媒体であればよい。
【０１３０】
このように、本発明によれば、コンピュータに上述した記憶方法の各工程を実行させるプログラムを記録したコンピュータ読取り可能な記録媒体として提供することができる。
【図面の簡単な説明】
【０１３１】
【図１】本発明の実施の一形態である記憶装置１の構成を示す図である。
【図２】図１に示した記憶装置１の実施例を示す図である。
【図３】図２に示した電話機１ａの動作およびメモリの状態を時系列に示した図である。
【図４】本発明の実施の他の形態である記憶方法による処理手順を示すフローチャートである。
【図５】本発明の実施のさらに他の形態である電話機１ｂの構成を示す図である。
【符号の説明】
【０１３２】
１  記憶装置
１ａ，１ｂ  電話機
１１  第１の記憶部
１１ａ，１７  ハードディスク
１２  第２の記憶部
１２ａ  半導体メモリ
１３  データ制御部
１４  入力部
１４ａ  キーボード
１５  判断部
１５ａ  時計・タイマ部
１６  出力部
１６ａ  データ出力部
１８  通信回線
【図１】
2006331610.tif 000003
【図２】
2006331610.tif 000004
【図３】
2006331610.tif 000005
【図４】
2006331610.tif 000006
【図５】
2006331610.tif 000007